(57)【要約】【課題】他に特別な道具を用いることなく手術用器械を直接載置した場合でも清潔を保持可能とするとともに、滅菌処理時や保管時の管理を容易なものとし、更に包装材として使用した場合には、被包装材である手術用器械を高圧蒸気滅菌処理時に変形や破損させることのない器械台カバーを得る。【解決手段】防水性を備えた防水シート1の裏面に通気性を備えた通気シート2を設けるとともに、器械台3を被覆可能とする。【選択図】図１
0003186961.tif 000002
【実用新案登録請求の範囲】
【請求項１】
防水性を備えた防水シートの裏面に通気性を備えた通気シートを設けるとともに、器械台を被覆可能としたことを特徴とする器械台カバー。
【請求項２】
防水透湿性素材にて形成した防水シートを設けるとともに、器械台を被覆可能としたことを特徴とする器械台カバー。
【請求項３】
防水シートの外周には、通気性を備えた通気シートを設けたことを特徴とする請求項１、または２の器械台カバー。
【考案の詳細な説明】
【技術分野】
【０００１】
本考案は、器械台に被覆する器械台カバーに関するものである。
【背景技術】
【０００２】
手術時に手術用器械を載置するための器械台は、その大きさから台全体を滅菌処理することは通常困難である。そのため特許文献１に示す如く、滅菌済みの器械台カバーを器械台に被覆することにより、器械台の清潔を保持することが一般的に行われている。しかしながら、特許文献１に記載の発明の如く不織布等の防水性を備えていない器械台カバーを使用した場合には、手術用器械を直接器械台カバーに載置すると、手術用器械に付着した体液や、器械台に付着していた雑菌等がカバーを通過して器械台カバーが不潔となり、手術用器械の清潔が保てなくなるおそれがあった。
【０００３】
そこでこのような問題を回避するために、器械台に被覆した器械台カバー上に滅菌済みの金属製のトレーを載置し、このトレー内に手術用器械を配置することが従来より一般的に行われている。このようにトレー内に手術用器械を載置した場合には、手術用器械に付着した体液や器械台の雑菌がトレーを通過することがないため、手術用器械をトレー内にて清潔に保持することができる。
【先行技術文献】
【特許文献】
【０００４】
【特許文献１】特開平１０―３２８２０６号公報
【考案の開示】
【考案が解決しようとする課題】
【０００５】
しかしながら、上記の如き方法では、器械台カバーの他にトレーも必要となるため、道具が増えて滅菌処理の作業や保存管理等が煩雑となっていた。
【０００６】
そこで、このような問題を回避するため、通気性を備えていない防水性のシートを器械台カバーとして用いることが知られている。このように防水性の器械台カバーを使用することにより、手術用器械に付着した体液や器械台の雑菌が器械台カバーを通過しにくいものとなる。そのため、トレーを使用することなく手術用器械を器械台カバー上に直接配置しても手術用器械の清潔を保持することができる。
【０００７】
しかしながら、上記の如き防水性のシートは高圧蒸気滅菌処理の際に問題が生じる場合がある。即ち、器械台カバーを高圧蒸気滅菌処理する場合には、器械台カバーを単体で高圧蒸気滅菌処理する場合と、手術用器械を器械台カバーで包装した状態で高圧蒸気滅菌処理を行う場合とがある。
【０００８】
そして手術用器械を器械台カバーにて包装したものを高圧蒸気滅菌処理した場合には、器械台カバーに通気性が備わっていないため包装内部の空間が器械台カバーによって外部と遮断された状態となる。そのため、高圧蒸気滅菌処理時に包装内部と外部との間で顕著な圧力差が生じ易くなり、包装内部に位置する手術用器械が変形したり破損したりするおそれがあった。
【０００９】
そこで、本願の第１、２考案は上述の如き課題を解決しようとするものであって、他に特別な道具を用いることなく手術用器械を直接載置した場合でも清潔を保持可能とするとともに、高圧蒸気滅菌滅菌処理時や保管時の管理を容易なものとし、更に包装材として高圧蒸気滅菌処理を行った場合には、被包装材である手術用器械を変形や破損させることのない器械台カバーを得ようとするものである。
【課題を解決するための手段】
【００１０】
上述の如き課題を解決するため、本願の第１考案は、防水性を備えた防水シートの裏面に通気性を備えた通気シートを設けるとともに、器械台を被覆可能としたものである。このように防水性を備えた防水シートを配置することにより、この防水シート上に手術用器械を直接載置した場合でも、手術用器械に付着した体液や器械台上に付着していた雑菌等が防水シートを通過することができないため、手術の際に手術用器械の清潔を保持することができる。従って、手術用器械を載置するためのトレーを別途用意する必要がなく、高圧蒸気滅菌処理時や保管時の管理を容易なものとすることができる。
【００１１】
また、裏面に通気シートを配置しているため、包装材として使用した場合には、高圧蒸気滅菌の際に包装内部が通気シートの存在によって包装外部と連通しやすいものとなり、包装内部と包装外部との圧力差を生じにくくすることができる。従って、包装内部に位置する手術用器械の変形や破損を防ぐことが可能となる。
【００１２】
また本願の第２考案は、防水透湿性素材にて形成した防水シートを設けるとともに、器械台を被覆可能としたものである。このように防水透湿性素材にて防水シートを形成することにより、防水シート上に手術用器械を直接載置した場合でも手術用器械に付着した体液や器械台に付着していた雑菌等が防水シートを通過しにくくなるため、手術の際に手術用器械の清潔を保持することができる。従って、手術用器械を載置するためのトレーを別途用意する必要がなく、処理時や保管時の管理を容易なものとすることができる。
【００１３】
また、防水シートを防水透湿性素材にて形成しているため、包装材として使用した場合に、防水シートの透湿性により、高圧蒸気滅菌処理時に防水シートを蒸気が通過するため、包装内部と包装外部との間で著しい圧力差が生じにくいものとなる。よって、包装内部に位置する手術用器械を良好な状態に保持することができる。
【００１４】
また防水シートの外周には、通気性を備えた通気シートを設けたものであってもよい。このように形成することにより、器械台カバーを高圧蒸気滅菌処理した際には蒸気が通気シートを介して包装内部に入り込み易くなる。従って、包装内部と外部との圧力差を更に生じにくいものとすることができるとともに、包装内部に蒸気を行き渡らせて滅菌処理を確実なものとすることができる。
【考案の効果】
【００１５】
本願の第１、第２考案は上記の如く構成したものであって、器械台を被覆可能とするものであるため、器械台を清潔に保持することができる。また、第１考案では防水性を備えた防水シートを、第２考案では防水透湿性素材にて形成した防水シートをそれぞれ設けたものである。
【００１６】
そのため、各考案の防水シート上に手術用器械を直接載置した場合でも、その防水性によって手術用器械に付着した体液や器械台の雑菌が防水シートを通過しにくいものとなり、防水シート上の清潔を保持することができる。従って、手術用器械を載置するためのトレーを別途用意する必要がなく、滅菌処理時や保管時の管理を容易なものとすることができる。
【００１７】
また、第１考案では防水シートの裏面に通気シートを配置しているとともに、また第２考案では防水シートを防水透湿性の素材にて形成している。そのため、器械台カバーで手術用器械を包装して高圧蒸気滅菌処理を行った場合でも、蒸気が通気シート又は防水透湿性により形成された防水シートにより包装内部が密閉状態となって包装外部と遮断されることがないため、包装内部と外部との間に顕著な圧力差が生じにくいものとなる。従って、包装された手術用器械を破損させる等の事態を防止することができる。
【図面の簡単な説明】
【００１８】
【図１】実施例１、２の器械台カバーを器械台に被覆した状態を示す斜視図。
【図２】実施例１、２の平面図。
【図３】高圧蒸気滅菌処理を行う際の実施例１の折り畳み過程を示す平面図。
【図４】高圧蒸気滅菌処理時に実施例１にて手術用器械を包装する過程を示す斜視図。
【実施例１】
【００１９】
本考案の実施例１について説明すると、図１、２に示す如く(1)は防水シートであって、この防水シート(1)は、シリコンフィルムとポリエステル繊維とで形成した二層の複合素材であり通気性を有さない防水性素材である。また、この防水シート(1)の裏面側には、ポリエステル糸の織布にて形成した通気性のある通気シート(2)を設けている。
【００２０】
この通気シート(2)は上記防水シート(1)よりも大きく形成したものであって、図２に示す如く防水シート(1)の外周から通気シート(2)が延出した状態となる。また、本実施例の防水シート(1)は器械台(3)の上面(5)全体を被覆可能とする大きさに形成している。そのため、図１に示す如く防水シート(1)によって器械台(3)の上面(5)全体を覆うことができる。
【００２１】
上記の如く形成した防水シート(1)を器械台(3)上に配置することにより、手術中に手術用器械(4)を上記防水シート(1)上に直接載置した場合でも、手術用器械(4)に付着した体液や器械台(3)からの雑菌等が防水シート(1)を通過することがないため、器械台(3)の上面(5)全体を清潔に保つことができる。
【００２２】
次に、上記の如く形成した本実施例の器械台カバーを高圧蒸気滅菌処理する方法について以下に説明する。器械台カバーの高圧蒸気滅菌処理には、器械台カバーのみを単体で高圧蒸気滅菌処理する場合と、器械台カバーにて手術用器械(4)を包装した状態で高圧蒸気滅菌処理する場合とがある。
【００２３】
そして、まず器械台カバーのみを高圧蒸気滅菌処理する場合について説明すると、器械台カバーを図３(a)〜(h)に示す順序で全体を小さく折り畳む。このような順序で折り畳むことにより、次の使用時に防水シート(1)を清潔な状態で、器械台(3)上に展開することができる。  
【００２４】
また、折り畳んだ防水シート(1)の間に通気シート(2)が介在するものとなるため、高圧蒸気滅菌処理時に蒸気が通気シート(2)を通じて防水シート(1)全体に行き渡りやすくなり、滅菌処理を確実に行うことができる。更に、器械台カバーを折り畳むことによって嵩を小さくすることができるため、より多くの器械台カバーを一度に高圧蒸気滅菌処理することが可能となり効率的である。
【００２５】
一方、手術用器械(4)を器械台カバーにて包装し、この状態で高圧蒸気滅菌処理を行う場合について説明すると、図４(a)〜(e)に示す手順で手術用器械(4)を器械台カバーにて包装する。このように包装することにより、高圧蒸気滅菌処理後の手術用器械(4)を清潔に保管することができるとともに、次の使用時に、防水シート(1)の表面や手術用器械(4)を不潔にすることなく器械台カバーを器械台(3)上に清潔に展開することができる。
【００２６】
また、本実施例では防水シート(1)の裏面に通気シート(2)を配置しているため、図４に示す手順で手術用器械(4)を包装することにより、高圧蒸気滅菌処理時に蒸気が通気シート(2)を介して包装内部(6)に入り込むことができる。そのため、包装内部(6)と包装外部との間で顕著な圧力差が生じることなく、包装された手術用器械(4)を破損させる等の事態を防ぐことができる。
【実施例２】
【００２７】
また、上記実施例１では防水性の防水シート(1)の裏面に通気シート(2)を設けることにより防水シート(1)部分における通気性及び防水性を確保したものであるが、本実施例２では防水シート(1)を防水透湿性素材にて形成しており、この防水シート(1)部分において防水性及び透湿性を備えているため、通気シート(2)を裏面に設ける必要のないものである。
【００２８】
即ち、本実施例の防水シート(1)を構成する防水透湿性素材は生地とフィルムとで構成した３層の複合材料であって、防水性と透湿性とを兼ね備えたものである。また、この防水シート(1)は実施例１と同様に器械台(3)上面(5)を被覆可能とする大きさに形成している。そしてこの防水シート(1)の外周には、図２に示す如く通気性を備えたポリエステル糸製の通気シート(2)を設けている。
【００２９】
また、上記の如く形成した本実施例の器械台カバーを高圧蒸気滅菌処理する場合について以下に説明する。本実施例の器械台カバーは、器械台カバー単体のみで高圧蒸気滅菌処理する場合と、器械台カバーにて手術用器械(4)を包装した状態で高圧蒸気滅菌処理する場合とがある。まず器械台カバーのみを高圧蒸気滅菌処理する場合について説明すると、図３(a)〜(h)に示す順序に従って本実施例の器械台カバー全体を小さく折り畳む。
【００３０】
このような順序で折り畳むことにより、使用時に器械台カバーの表面を不潔にすることなく器械台カバーを器械台(3)上に清潔な状態で展開することができる。また、防水透湿性素材の防水シート(1)を使用しているため、高圧蒸気滅菌処理時に蒸気が防水シート(1)を通過して全体に十分に行き渡り、滅菌処理を確実なものとすることができる。更に、器械台カバーを折り畳むことによって嵩を小さくすることができるため、より多くの器械台カバーを一度に高圧蒸気滅菌処理することが可能となり効率的である。
【００３１】
一方、器械台カバーにて手術用器械(4)を包装した状態で高圧蒸気滅菌処理する場合について説明すると、図４(a)〜(e)に示す手順に従って手術用器械(4)を器械台カバーにて包装する。図４に示す手順で手術用器械(4)を包装することにより、高圧蒸気滅菌処理後の手術用器械(4)が器械台カバーに包まれた状態で清潔に保管することができるとともに、手術前に防水シート(1)の表面や手術用器械(4)を不潔にすることなく器械台カバーを器械台(3)上に清潔な状態で展開し、手術用器械(4)を清潔な状態で載置することが可能となる。
【００３２】
また、本実施例の防水シート(1)は防水透湿性素材にて形成していることから、防水シート(1)を蒸気が通過するものとなる。そのため、包装内部(6)が外部と遮断されることなく蒸気が防水シート(1)を通過する。従って、包装内部(6)と包装外部との間で顕著な圧力差が生じにくく、包装内部(6)に位置する手術用器械(4)を破損させるという事態を防ぐことができる。
【００３３】
尚、本実施例では防水シート(1)の裏面に通気シート(2)を配置していないが、他の異なる実施例ではこれに限らず、防水シート(1)の裏面に通気シート(2)を配置したものであっても良い。このように防水シート(1)の裏面に通気シート(2)を配置することにより、処理時の耐久性が更に向上し、繰り返しの使用回数を増加させることができる。
【００３４】
また、上記の如く防水シート(1)の外周には通気性を備えた通気シート(2)を配置している。そのため、手術用器械(4)を包装した状態で高圧蒸気滅菌処理を行った際に、この通気シート(2)を通じて蒸気が包装内部(6)側に更に入り込み易いものとなる。そのため、包装内部(6)と外部との間で顕著な圧力差の発生を防止して、包装内部(6)の手術用器械(4)が破損する等の事態をより確実に防ぐことができる。
【符号の説明】
【００３５】
１  防水シート
２  通気シート
３  器械台
【図１】
0003186961.tif 000003
【図２】
0003186961.tif 000004
【図３】
0003186961.tif 000005
【図４】
0003186961.tif 000006